(57)【特許請求の範囲】
【請求項１】
多数の貫通孔を表面から裏面まで貫通させた材料であり、その貫通孔を通して植物の根が法面に向けて侵入することを許容する多孔帯状体を使用し、
この多孔帯状体を、
隣接する多孔帯状体との間隔を空けて法面に敷設し、
露出した法面を残して、多孔帯状体の上に、砂と繊維とセメントと水を混合した砂基材を吹き付けて構築する、
植生法枠の構築方法。
【請求項２】
多数の貫通孔を表面から裏面まで貫通させた材料であり、その貫通孔を通して植物の根が法面に向けて侵入することを許容する多孔帯状体を使用し、
この多孔帯状体を、
法面と離れた状態で、
かつ、隣接する多孔帯状体との間隔を空けて法面に敷設し、
露出した法面を残して、多孔帯状体の上に、砂と繊維とセメントと水を混合した砂基材を吹き付けて構築する、
植生法枠の構築方法。
【請求項３】
砂基材の上、および露出した法面の上に、
さらに、植生基材、種子、肥料、接合材などを混合した植生基盤材を吹き付けて構築する、
請求項１、２に記載の植生法枠の構築方法。
【請求項４】
多孔帯状体は、
合成繊維を格子状に結合した多孔帯状体である、
請求項１、２に記載の植生法枠の構築方法。
【請求項５】
多孔帯状体は、
合成繊維を絡ませて構成した多孔帯状体である、
請求項１、２に記載の植生法枠の構築方法。
【請求項６】
多数の貫通孔を表面から裏面まで貫通させた材料であり、その貫通孔を通して植物の根が法面に向けて侵入することを許容する多孔帯状体を、
法面に縦横に敷設し、
露出した法面を残して、多孔帯状体の上に、砂と繊維とセメントと水を混合した砂基材を吹き付けることによって、
井桁状に植生した法枠を構築する、
植生法枠の構築方法。
【発明の詳細な説明】
【技術分野】
【０００１】
本発明は、植生法枠の構築方法に関するものである。
【背景技術】
【０００２】
これまでの法枠工はモルタルやコンクリート吹付工による造成であった。
【特許文献１】特開平１０−２９８９９９号公報。
【発明の開示】
【発明が解決しようとする課題】
【０００３】
前記した従来の法枠工の構築方法にあっては、次のような問題点がある。
＜１＞  たとえ格子状に配置された法枠であってもその枠内に施された植生が十分に生育するまではセメント色の目立つ法枠が残るものであった。
＜２＞  また、モルタルやコンクリート吹付工による法枠は、経年するにつれて構造的に劣化が進むことは避けられず、さらに強度は低下することになるため、供用後の維持管理が問題となっている。
＜３＞  また、コンクリート法枠と枠内に緑化工を行う方法は、その施工において法枠の造成が先行するが、吹付作業ではコンクリートが緑化部分にも飛び散るためにその部分が硬化すると植物の生育ができない。
＜４＞  そのため、従来の施工ではあらかじめ枠内にブルーシート等の養生シートを枠毎に設けており、その張る手間と材料費、さらにブルーシートは転用できないので廃棄処分されていた。
＜５＞  連続長繊維を用いた砂基材を厚く吹き付て造成する補強土工法では、内部に多孔帯状体等が含まれていないために補強効果をもたらすには全面的に厚い層を造成しなければならず、大量の砂基材が必要となり、施工性、コスト面で課題があった。
＜６＞  あらかじめ法面に挿入された棒材に対して、多孔帯状体に棒材挿通部位を設けて、棒材を挿通させ、その状態から押し込み部材を棒材頭部に取り付けて多孔帯状体をのり面に押し込む方法では、のり面の凹凸や岩部とのこすれ等による多孔帯状体に損傷が生じやすい。また、平面的な法面であれば、棒材の押し込み力によって法面に密着するが、凹凸状の法面で多孔帯状体を法面に密着させるには、凹凸面の変化のある個所に棒材をあらかじめ挿入して多孔帯状体を法面に押し込まなければならない。こうした点から、施工性、コスト面、さらに多孔帯状体の損傷による安定性に課題があった。
【課題を解決するための手段】
【０００４】
上記のような課題を解決するために、本発明の植生法枠の構築方法は、多数の貫通孔を表面から裏面まで貫通させた材料であり、その貫通孔を通して植物の根が法面に向けて侵入することを許容する多孔帯状体を使用し、この多孔帯状体を、隣接する多孔帯状体との間隔を空けて法面に敷設し、露出した法面を残して、多孔帯状体の上に、砂と繊維とセメントと水を混合した砂基材を吹き付けて構築する植生法枠の構築方法を特徴とするものである。
また本発明の植生法枠の構築方法は、多数の貫通孔を表面から裏面まで貫通させた材料であり、その貫通孔を通して植物の根が法面に向けて侵入することを許容する多孔帯状体を使用し、この多孔帯状体を、法面と離れた状態で、かつ、隣接する多孔帯状体との間隔を空けて法面に敷設し、露出した法面を残して、多孔帯状体の上に、砂と繊維とセメントと水を混合した砂基材を吹き付けて構築する、植生法枠の構築方法を特徴としたものである。
また本発明の植生法枠の構築方法は、多数の貫通孔を表面から裏面まで貫通させた材料であり、その貫通孔を通して植物の根が法面に向けて侵入することを許容する多孔帯状体を、法面に縦横に敷設し、露出した法面を残して、多孔帯状体の上に、砂と繊維とセメントと水を混合した砂基材を吹き付けることによって、井桁状に植生した法枠を構築する植生法枠の構築方法を特徴としたものである。
【発明の効果】
【０００５】
本発明の植生法枠の構築方法は以上説明したようになるから次のような効果を得ることができる。
＜１＞  本発明の法枠は、多孔帯状体を内在した植物の生育が可能となる砂基材を用いた法枠構造であるため、全面的な緑化が初期の施工段階から可能となる。
＜２＞  さらに、多孔帯状体の敷設された個所に厚い砂基材が吹き付けられることになるため、全面的に厚く砂基材を吹き付けることが避けられるため、施工性、コスト面で優れる。
＜３＞  また植物の生育状況に従い、根茎の緊縛力が大きくなることが期待できるため、経年後の法枠はさらに傾斜面の安定性を向上することが期待できる。
＜４＞  公知のモルタルやコンクリート吹付工による法枠では養生期間が必要となるが、本発明の方法であれば、あらかじめ製品加工された多孔帯状体を法面上に配置するから、初期段階で法面の崩壊等を抑制する補強効果があり、初期の段階での高い安全性を確保できる。
＜５＞  あるいは本発明の方法であれば、あらかじめ製品加工された多孔帯状体を法面と離れて配置し、その離れ間に砂基材を吹付け充填して構成する法枠であることから、多孔帯状体が初期段階で法面の崩壊等を抑制する補強効果があるため、高い安全性を確保できる。
【発明を実施するための最良の形態】
【０００６】
以下図面を参照にしながら本発明の好適な実施の形態を詳細に説明する。
【実施例】
【０００７】
＜１＞全体の構成。
本発明の構築方法は、多孔帯状体１を使用し、これを間隔を空けて法面に敷設し、その多孔帯状体１の上に砂基材２を吹き付ける方法、あるいはその上にさらに植生基盤材３を吹き付ける方法である。
以下、構成する材料と構築方法を説明する。
【０００８】
＜２＞多孔帯状体１。
本発明の構築方法で使用する多孔帯状体１は、多数の貫通孔を表面から裏面まで貫通させた材料を帯状に形成した資材である。
多数の貫通孔を表面から裏面まで貫通させた材料として、例えば合成繊維、ガラス繊維、アラミド繊維、炭素繊維を樹脂に含侵させグリッド状に一体整形した線材１１を格子状に結合した資材を使用する。
図４の実施例に示す多孔帯状体１は、線材１１を多少の間隔を介して格子状に結合した材料であるから、線材１１と線材１１の間には多くの孔１２が開口しており、その孔１２を通して植物の根が法面に向けて侵入することを許容することになる。
多孔帯状体１としては多数の貫通孔を表面から裏面まで貫通させた材料であればよいから、必ずしも格子状ではなく、例えば合成繊維を「たわし」のようにループ状に絡ませた資材を使用することもできる。
この材料の場合にも、繊維と繊維の間には多くの孔１２が介在しており、その孔１２を通して植物の根が法面に向けて侵入することを許容する。
その他、多孔質の資材であれば、市販のものを帯状に切断して使用することができる。
【０００９】
＜３＞多孔帯状体の敷設。（図１）
上記した多孔帯状体１を使用し、複数本の多孔帯状体１を、隣接する多孔帯状体１との間に間隔を空けて法面４の上に直接、敷設する。
その場合に多孔帯状体１を、法面４に縦方向（上から下へ）と横断（水平方向）方向に交差させて敷設すれば、法面４の表面に井桁状の法枠を形成することができる。
ただし、井桁状、格子状ではなく、菱形状、あるいは縦、横いずれかを一方向に向けて敷設することももちろん可能である。
敷設したら、要部にアンカーを打ち込んで多孔帯状体１の法面上での移動を阻止する。
なお、図１の実施例では多孔帯状体１を直接法面の上に敷設した場合を説明したが、図３に示すように多孔帯状体１と法面との間にスペーサ５を介在させて、中空に浮かせた状態で敷設することも可能である。
【００１０】
＜４＞砂基材２の吹き付け。
多孔帯状体１を法面４上に敷設したら、露出した法面４を残して、多孔帯状体１の上に砂基材２を吹き付ける。
砂基材２は、例えば砂と繊維とセメントと水を混合したような公知の材料を使用する。
混合する繊維は、短繊維でも長繊維でもよい。
この砂基材２を攪拌し、コンプレッサで圧縮した空気によって、法面４に敷設した多孔帯状体１の上から、その内部の孔１２に侵入するよう、多孔帯状体１上部から砂基材２を吹き付ける。
さらに多孔帯状体１の周囲にも多孔帯状体１を巻き込むように砂基材２を吹き付ける。
砂基材２の吹き付けに際しては、露出した法面４を残して、多孔帯状体１の上を対象に吹き付けるが、多孔帯状体１の周囲、すなわち露出した法面４上に飛散することは避けられない。
しかし砂基材２は植物の生育を阻害するものでなく、植生が可能な材料であるため、たとえ露出した法面４上に飛散して残ったとしても問題はない。
したがって従来のように、法枠で囲まれた内部にブルーシートを敷設して吹き付け材の飛散を阻止するというような枠内処理の作業は必要ない。
以上の施行の結果、多孔帯状体１に砂基材２の繊維が絡むことになり、大きな補強機能が得られる。
また多孔帯状体１に吹き付けた砂基材２は多孔帯状体１の孔１２を通過して強制的に充填されるから、法面４の凹凸によって、多孔帯状体１が法面４から離れていても、法面４に密着した法枠が形成される。
同様の理由で、図３の実施例のように多孔帯状体１と法面との間にスペーサ５を介在させた場合でも、多孔帯状体１の下に完全に砂基材２を充填することができる。
【００１１】
＜５＞砂基材２吹き付け後の法枠。
前記したように砂基材２にはセメントを混合してある。
しかし一般に砂基材２においてはセメント量はきわめてわずかであり、そのために砂基材２を吹き付けた法枠の部分がブロック状に強固に硬化してしまうことはなく、砂粒子間には十分な間隔が維持されている。
そのために、周囲から飛来した植物の種子は砂基材２に定着し、根の生育、根の法面４への侵入が可能である。
また、多孔帯状体１を敷設していない部分は、法面４が露出しているから、その露出面に周囲から飛来した植物の種子が定着して生育することは十分に可能である。
このように、砂基材２は法面４の全面に吹き付ける必要はなく、多孔帯状体１の上を中心に吹き付けを行い、他の法面４は露出させたままであるから、施工が迅速で経済的である。
また、多孔帯状体１に繊維を含んだ砂基材２を吹き付けるから、繊維が多孔帯状体１の孔１２に絡んで、初期の段階から法面４の表面の崩壊などを抑制する補強効果を期待することができる。
さらに時間とともに植物が成長すれば、根茎の緊縛力が大きくなることが期待できるため、経年後の法枠はさらに傾斜面の安定性が向上する。
【００１２】
＜６＞植生基盤材３の吹き付け。
以上の工程によっても、植生法枠を構築することができるが、気象条件や法面４の傾斜、雨量などを考慮して、より植生を容易にするためには、さらに植生基盤材３の吹き付けを行う場合がある。
すなわち、上記の工程で吹き付けた砂基材２の上、および露出した法面４の上に、植生基盤材３を吹き付ける。
植生基盤材３としては、植生基材、種子、肥料、接合材などを混合した公知のものを採用することができる。
この植生基盤材３を、攪拌し、コンプレッサで圧縮した空気によって、砂基材２の上、および砂基材２の吹き付けを行っていない露出した法面４の上に吹き付け、法枠を完成する。
【００１３】
＜７＞他の実施例。
上記の実施例では多孔帯状体１を直接、法面４に敷設する工法であった。
しかし図４以下に示すように、多孔帯状体１と法面４との間にスペーサ５を介在させ、法面４と多孔帯状体１の間隔を空けて敷設する方法を採用することもできる。
すなわち、まず法面４に半円状の鋼棒や帯状板で構成したスペーサ５を、アンカーを法面４に打ち込んで固定する。
半円形状の鋼棒などに限らず、コ字状、Ｌ字状など鋼棒、帯状板をスペーサ５として使用することもできる。
このスペーサ５を、一定の狭い間隔を介して一列に配置する。
その後、スペーサ５群の上に、前記した多孔帯状体１を被せる。
すると多孔帯状体１は法面４の上に半円柱を形成して敷設される。
この半円柱状の多孔帯状体１の上から、その内部に充填できるように前記した砂基材２を吹き付ける。
スペーサ５によって多孔帯状体１が立体的な曲面形状となるので、この多孔帯状体１を覆い隠すように砂基材２を吹き付ければ、所定幅および所定高さを持つ法枠形状ができる。
多孔帯状体１は多数の孔１２を開口しているから、砂基材２はその内部に侵入して充填される。
スペーサ５の位置においても、スペーサ５の幅が広すぎることがなければ、その下部の空間に砂基材２を吹き込んで充填することができる。
砂基材２の上面には、必要に応じて前記した植生基盤材３を吹き付けて法枠の構築を完成する。
なお、多孔帯状体１に剛性があれば、あらかじめ曲面形状に形成した多孔帯状体１を使用しても同様の施工を行うことができる。
【００１４】
＜８＞スペーサ５を配置する効果。
スペーサ５を配置する実施例の場合、多孔帯状体１が地山面に直接当らずにすむため、地山の岩や凹凸面でのこすれがなく、多孔帯状体１への傷や損傷の発生を防止できる。
また砂基材２が、半円柱状の多孔帯状体１の内部に吹き付けられることで、地山と砂基材２との密着性がより優れたものとなる。
のり面からの土圧や崩壊エネルギーが発生した場合、法枠においては、地山側の反対面、すなわち法枠の表面に引張り力が働く。
しかし法枠工の中にある多孔帯状体１の位置はスペーサ５により外側面付近になることで、多孔帯状体１の本来持つ引張り特性を十分に機能させることができる。
その結果、半円柱状の多孔帯状体１内の砂基材２の安定性が確保されることになり、法枠が安定することから、結果として地山の崩壊を防止することが出来る。
【００１５】
＜９＞交差部の構成。
スペーサ５を介在させる工法でも、多孔帯状体１は縦方向、横方向のいずれか一方向でも配置できるが、より確実な法枠での補強をおこなうために縦横の格子状に配置してもよい。
多孔帯状体１を井桁状、格子状に配置した場合には、交差部が発生する。
この交差部では上下となる縦横の多孔帯状体１を確実に結合できるように、スペーサ５の配置は交差部をさけて配置する。
そのために、多孔帯状体１は交差部では断面が矩形状態となり、交差部の間では断面が半円柱状態となる場合がある。
【図面の簡単な説明】
【００１６】
【図１】本発明の植生法枠の構築方法において、法面上に多孔帯状体を敷設した実施例の説明図。
【図２】多孔帯状体の上に砂基材を吹き付け、さらに植生基盤材を吹き付けた状態の断面図。
【図３】図２の実施例において、多孔帯状体を法面から離して設置した実施例の説明図。
【図４】多孔性の帯状体の一部を拡大した説明図。
【図５】他の実施例において、法面上にスペーサを設置した実施例の説明図。
【図６】図５の実施例において、スペーサの上に砂基材を吹き付け、さらに植生基盤材を吹き付けた状態の断面図。
【符号の説明】
【００１７】
１：多孔帯状体
２：砂基材
３：植生基盤材
４：法面
５：スペーサ
【図１】
0004708265.tif 000002
【図２】
0004708265.tif 000003
【図３】
0004708265.tif 000004
【図４】
0004708265.tif 000005
【図５】
0004708265.tif 000006
【図６】
0004708265.tif 000007